(57)【要約】      （修正有）【課題】簡単に製造でき、連結要素および矢板を深く打ち込んだ場合に強い力を吸収できる連結要素を提供する。【解決手段】本発明は、中間ストリップ１４と、協働して断面がＣ形状爪ストリップ１２を形成する中間ストリップから突出する２つのフックストリップ１６、１８とを備えた矢板用連結要素に関するものである。フックストリップ１６、１８の端部は対向し、それらの端部で開口２０を限定し、フックストリップ１６、１８の端部の延長中間線２６、２８は開口２０の外で交差する。さらに、直線首部ストリップ３２と断面が楕円の頭部ストリップ３４を有する少なくとも１つの接続ストリップ３０が爪ストリップ１２から突出し、断面が楕円の頭部ストリップ３４の主軸線３８は首ストリップ３２の縦軸線に対して直角に延びる。【選択図】図１
2005171756.tif 000002
【特許請求の範囲】
【請求項１】
中間ストリップ（１４；５０；６６；１０６）と、これらの中間ストリップから突出し、協働して断面がＣ形状爪ストリップ（１２；６８；８２；１０２、１１２）を形成する２つのフックストリップ（１６、１８；１０８、１１０）とを備えた矢板用連結要素において、フックストリップ（１６、１８；１０８、１１０）の端部は相互に対向し、それらの端部で開口（２０）を限定し、フックストリップ（１６、１８；１０８、１１０）の端部の延長中間線（２６、２８）は開口（２０）外で交差し、爪ストリップ（１２；６８；８２；１０２、１１２）から突出する少なくとも１つの接続ストリップ（３０；４２；６２；８４、８６；１０４）は直線首部ストリップ（３２；４６；７２；８８）と断面が楕円の頭部ストリップ（３４；９０）とを有し、断面が楕円の頭部ストリップ（３４；９０）の主軸線（３８）は首部ストリップ（３２；４６；７２；８８）の縦軸線に対して直角に延びる前記連結要素。
【請求項２】
接続ストリップ（３０；８４）の首部ストリップ（３２；９０）の縦軸線（３６）が爪ストリップ（１２；８２）の中間ストリップ（１４；５０）の縦軸線（４８）と一致していることを特徴とする請求項１に記載の連結要素。
【請求項３】
頭部ストリップがＣ形状爪ストリップの開口から離れて見えるように、首部ストリップ（４６）の縦軸線（４４）を持つ接続ストリップ（４２）は、中間ストリップ（５０）の縦軸線（４８）に対して角度（α）で傾斜して延びることを特徴とする請求項１に記載の連結要素。
【請求項４】
縦軸線（４４）を持つ首部ストリップ（４６）が中間ストリップ（５０）の縦軸線（４８）に対して傾斜して延びる角度（α）は、３０゜から６０゜の範囲、少なくとも、特に、ほぼ４５゜の範囲であることを特徴とする請求項３に記載の連結要素。
【請求項５】
接続ストリップ（６２）は中間ストリップ（６４）により、Ｃ形状爪ストリップ（６８）の中間ストリップ（６６）に形成され、中間ストリップ（６４）の縦軸線（７０）が中間ストリップ（６６）の縦軸線に対して平行に延び、接続ストリップ（６２）の首部ストリップ（７２）は、頭部ストリップがＣ形状爪ストリップ（６８）の方向を示すように、その縦軸線（７４）が中間ストリップ（６４）の縦軸線（７０）に対して所定の角度（β）で延びることを特徴とする請求項１に記載の連結要素。
【請求項６】
接続ストリップ（８６）は、爪ストリップ（８２）の開口（９２）に対向する中間ストリップの側から突出することを特徴とする請求項１または請求項２に記載の連結要素。
【請求項７】
開口（２０）の幅は、爪ストリップ（１２；６８；８２；１０２、１１０）の内輪郭の最大広さの約半分に相当することを特徴とする前記請求項の内の少なくとも１項に記載の連結要素。
【請求項８】
中間ストリップ（１０６）は、断面がＣ形状の第２爪ストリップ（１１２）の２つのフックストリップ（１０８、１１０）の一方を形成し、鏡面対称で相互に延びるフックストリップ（１０８、１１０）は端部で開口を限定することを特徴とする請求項１に記載の連結要素。
【請求項９】
第２爪ストリップ（１１２）の対称軸線（１１６）は、爪ストリップ（１０２）の対称軸線（１１４）に対して直角に延びることを特徴とする請求項８に記載の連結要素。
【請求項１０】
両方爪ストリップ（８２、９２）は、少なくとも、ほぼ同一に形成され、寸法が決められることを特徴とする請求項８または請求項９に記載の連結要素。
【請求項１１】
連結要素（１０；４０；６０；８０；１００）の断面の輪郭は、爪ストリップ（１２；６８；８２）または爪ストリップ（８２；９２）および接続ストリップ（３０；４２；６２；１０４）または接続ストリップ（８４、８６）の範囲で、実質的に円弧の繋ぎ合わせにより形成されることを特徴とする前記請求項の内の少なくとも１項に記載の連結要素。
【請求項１２】
連結要素（１０；４０；６０；８０；１００）の断面で見て、首部ストリップおよび頭部ストリップ（３２、３４；４６；７２；８８；９０）の全長は、爪ストリップ（１２；６８；８２）または爪ストリップ（８２；９２）の約半分に相当することを特徴とする前記請求項の内の少なくとも１項に記載の連結要素。
【発明の詳細な説明】
【技術分野】
【０００１】
本発明は、矢板用連結要素に関する。
【背景技術】
【０００２】
この種の連結要素は、隔壁を組み立てる矢板の連結に役立つ。連結要素は、２つの隔壁用矢板のそれぞれの終端の接続要素が相互に延びる角度で相互に連結するために使用される。例えば、この種の連結要素は、ドイツ国特許公開第３９０７３４８号公報に記載されている。この公報に記載された連結要素は、いわゆるLarssen矢板または頭部爪タイプでの接続に役立つ。
矢板および連結要素を深く打ち込んだ場合は、これらの構造部分間で場合により非常に大きくなる引っ張り力および剪断力が生じ、厚板または連結要素は固定部から突出する。これにより、隔壁の剛性は全体的に脆弱となる。さらに、隔壁は、この個所でもはや水密にならない。
【特許文献１】ドイツ国特許公開第３９０７３４８号公報
【発明の開示】
【発明が解決しようとする課題】
【０００３】
本発明は、簡単に製造でき、連結要素および矢板を深く打ち込んだ場合に強い力を吸収できる連結要素を提供することを課題とする。
【課題を解決するための手段】
【０００４】
この課題は、本発明によると、中間ストリップ（１４；５０；６６；１０６）と、これらの中間ストリップから突出し、協働して断面がＣ形状爪ストリップ（１２；６８；８２；１０２、１１２）を形成する２つのフックストリップ（１６、１８；１０８、１１０）とを備えた矢板用連結要素であって、フックストリップ（１６、１８；１０８、１１０）の端部は相互に対向し、それらの端部で開口（２０）を限定し、フックストリップ（１６、１８；１０８、１１０）の端部の延長中間線（２６、２８）は開口（２０）外で交差し、爪ストリップ（１２；６８；８２；１０２、１１２）から突出する少なくとも１つの接続ストリップ（３０；４２；６２；８４、８６；１０４）は直線首部ストリップ（３２；４６；７２；８８）と断面が楕円の頭部ストリップ（３４；９０）とを有し、断面が楕円の頭部ストリップ（３４；９０）の主軸線（３８）は首部ストリップ（３２；４６；７２；８８）の縦軸線に対して直角に延びる連結要素により解決される。
【０００５】
本発明によると、連結要素は中間ストリップと、協働して断面がＣ形状爪ストリップを形成し、中間ストリップから突出する２つのフックストリップとを有する。フックストリップの端部は相互に向き合い、それらの端部で開口を限定する。さらに、フックストリップの端部の延長中間線は開口の外で交差する。直線首部ストリップおよび断面が楕円の頭部ストリップを有する少なくとも１つの接続ストリップが爪ストリップから突出し、断面が楕円の頭部ストリップの主軸は首部ストリップの縦軸線に対して直角に延びる。
【０００６】
明らかにするため、中間線、主軸線、異なる縦軸線および対称軸線の延長部は、詳細な説明および請求項で使用するように、常に、連結要素の縦方向と交差する断面内で見ることを示唆される。
【０００７】
本発明による連結要素は、特に、ボールソケット接続部を備えた矢板の相互連結に役立つ。ここでは、爪ストリップは矢板のボール接続部についての収容のために役立ち、他方、矢板のソケット接続部は、本発明による連結要素の接続ストリップと嵌合される。
【０００８】
本発明による爪ストリップの構成により、一方では、両方の中間線が爪ストリップの外で交差して、本発明による両方のフックストリップの延長部により爪ストリップの開口が相互に拡大されるので、爪ストリップ内でのボール接続部を備えた矢板の嵌め込みが達成される。他方では、フックストリップが爪ストリップ内に嵌め込まれる矢板のボール接続部を広く囲むので、低い打ち込みの場合に、両方のフックストリップの本発明による構成により、爪ストリップからのボール接続部の突出は両方のフックトリップにより妨げられるが、ボール接続部および爪ストリップの場合による偏向運動を相互に妨げない。同時に、フックトリップは低い打ち込みの場合に生じる強い力を吸収し、中間ストリップにそらすことができる。
【０００９】
接続ストリップは、特に、矢板のソケット接続部についての接続のために構成される。その際、矢板のソケット接続部は幅広い範囲に亘り接続ストリップを囲み、または包囲し、同じく、低い打ち込みの場合にソケット接続部からの頭部ストリップの突出が防止される。
【００１０】
本発明による連結要素は、金属またはプラスチックからの押出し方法で製造できる。さらに、本発明による連結要素は金属からの熱間ローラまたは冷間ローラによっても仕上げることができる。
【００１１】
本発明による連結要素の別の長所および実施例は、以下の詳細な説明、従属請求項および図面から明白である。
【００１２】
接続ストリップは原理的に爪ストリップの各個所に設けることができ、矢板は、所定の角度で相互に連結要素により相互に連結できる。
【００１３】
本発明による連結要素の特別に有利な構成によると、接続ストリップはＣ形状爪ストリップの中間線の継続部として構成され、首部ストリップの縦軸線は接続ストリップの縦軸線と整列し、つまり、重合する。これにより、矢板は約９０゜の角度で相互に連結できる。
【００１４】
本発明による連結要素の他の特別に有利な構成によると、接続ストリップは、楕円開口に対向する側で中間線から分岐し、それにより、直線内での矢板の相互の連結ができる。
【００１５】
さらに、本発明によると、連結要素は２つの接続ストリップが設けられる。ここでは、一方の接続ストリップは、特に、中間線の継続部として構成され、他方、第２接続ストリップは中間トリップに直角で、爪ストリップの開口に対向する側で中間ストリップから分岐する。連結要素のこの種の構成により、３つの矢板は相互に連結され、爪ストリップおよび接続ストリップは、低い打ち込みの場合、矢板の場合による偏向運動で互いにバランスする。
【００１６】
本発明による連結要素の変更実施例では、断面が楕円の２つの爪ストリップと１つの接続ストリップとが設けられる。これにより、同様に、３つの矢板を連結することができる。この実施例では、第１Ｃ形状爪ストリップの中間ストリップは、少なくとも、断片的に第２Ｃ形状爪ストリップにおける両方のフックストリップの一方のストリップを形成する。第２Ｃ形状爪ストリップは、特に、第２爪ストリップの対称軸線が、少なくとも、第１爪ストリップの対称軸線に対してほぼ直角に延び、それにより、ほぼ直角に相互に延びる矢板が相互に連結できるように連結要素に形成される。
【００１７】
本発明による連結要素の断面の内輪郭および外輪郭は、爪ストリップまたは爪ストリップと接続ストリップまたは接続ストリップの範囲で、特に、円弧の繋ぎ合わせにより達成される。
【実施例】
【００１８】
次に本発明を、添付図面を参照した３つの実施例に基づき詳細に説明する。
【００１９】
図１において、本発明による連結要素１０の第１実施例の端面が示される。連結要素１０は一様な断面形状を持つ縦長輪郭として構成され、連結要素１０が連結される矢板の長さに一致する長さを有する。以下の説明において、連結要素の各部をストリップと称するが、それは連結要素が矢板の長さに一致する長さを有するので、各部も矢板の長さに一致する長さを有するためである。
【００２０】
連結要素１０は、中間ストリップ１４、２つのフックストリップ１６、１８から形成される断面Ｃ形状爪ストリップ１２を有する。中間ストリップ１４はフックストリップ１６、１８に移行し、これらと共にＣ形状爪ストリップ１２を形成する。フックストリップ１６、１８の端部は互いに向き合い、開口２０を限定する。
【００２１】
中間ストリップ１４、フックストリップ１６、１８は実質的に同一厚さを持ち、Ｃ形状爪ストリップ１２は断面がほぼ楕円の内室２２を持つように互いに延びる。
【００２２】
ストリップ１２の断面は、開口２０の中心点および中間ストリップ１４の中心により示される対称軸線２４に対して鏡面対称に構成される。フックストリップ１６、１８の中心線２６、２８を延長すると、これらの中心線２６、２８は開口２０の外の交点Ｓでストリップ１２の対称軸線２４に交差する。その際、交点Ｓの距離は、フック１６、１８または中間ストリップ１４の厚さの約１．５倍の値に相当する。
【００２３】
図１による連結要素１０は、さらに、爪ストリップ１２の中間ストリップ１４の継続部分として構成される接続ストリップ３０を有する。接続ストリップ３０は直線首ストリップ３２と、直線首に接続する頭部ストリップ３４とを持つ。首ストリップ３２は、その縦軸線３６の方向で中間ストリップ１４の約１倍から２倍の厚さの長さを持つ。頭部ストリップ３４は断面が楕円で、楕円の主軸線３８は首ストリップ３２の縦軸線３６に対して直角に延びる。楕円の幅は、頭部ストリップ３４での楕円の主軸線３８の方向で見て、首ストリップ３２の約２倍から３倍の厚さに相当する。
【００２４】
図２において、図１で示す連結要素１０の変形の端面が正面図で示される。この変形４０では、接続ストリップ４２は、その首部ストリップ４６の縦軸線４４が、中間ストリップ５０の縦軸線４８に対して約４５゜の角度αで傾斜して延びる。これにより、矢板は、この場合の４５゜の設定角度で相互に連結されることが達成される。なお、角度αは３０゜から６０゜の範囲の値をとることも可能である。
【００２５】
図３において、図１で示す連結要素１０の第２変形の端面が正面図で示される。この変形６０では、接続ストリップ６２は中間ストリップ６４によりＣ形状爪ストリップ６８の中間ストリップ６６に形成される。ここでは、接続ストリップ６２の首部ストリップ７２の縦軸線７０は、中間ストリップ６４の縦軸線７４に対して約１３５゜の角度βで傾斜して延びる。中間ストリップ６４により、２つの矢板を相互に鋭角で連結できる。
【００２６】
図４において、変形された連結要素８０の第２実施例の端面が示され、図１による第１実施例と同様に、Ｃ形状爪ストリップ８２と第１接続ストリップ８４とを有する。これらの構成要素の寸法は図１で示される連結要素１０の構成要素の寸法に一致する。
【００２７】
さらに、この連結要素８０では、第２接続ストリップ８６が設けられ、それは第１接続ストリップ８４と同様に構成され、首ストリップ８８と頭部ストリップ９０とを有する。ここでは、第２接続ストリップ８６は、その寸法が対応する第１接続ストリップ８４の寸法と一致する。第２接続ストリップ８６は爪ストリップ８２の開口９２に対向する側に配置され、第１接続ストリップ８４に対して直角に向けられる。
【００２８】
図５は、本発明による連結要素１００の第３実施例の端面が正面図で示される。連結要素１００は図１で示される連結要素１０と同様に、Ｃ形状爪ストリップ１０２と接続ストリップ１０４とを有する。しかしながら、爪ストリップ１０２の中間ストリップ１０６は、同時に、第２爪ストリップ１１２のフックストリップ１０８、１１０の一方を形成する。
【００２９】
ここで、第２爪ストリップ１１２は第１Ｃ形状爪ストリップ９２と等しく構成され、寸法が決められるが、その対称軸線１１４は第１爪ストリップ１０２の対称軸線１１６に対して直角に延びる。
【００３０】
図１乃至図５から分かるように、全ての連結要素１０、４０、６０、８０、１００のために、爪ストリップ１２、６８、８２、１０２、１１２および接続ストリップ３０、４２、６２、８４、８６、１０４の範囲で断面の輪郭は、異なる半径を持つ個々の円部分の繋ぎ合わせにより達成される。爪ストリップ１２、６８、８２、１０２、１１２の内輪郭は中間ストリップ１４、５０、６６、１０６に向く範囲で、例えば、２０ｍｍの比較的に大きい半径を持つ円部分により形成され、大きい円部分には、フックストリップ１６、１８、１０８、１１０を限定する例えば、８ｍｍの小さい半径を持つそれぞれの円部分が接続する。フックストリップ１６、１８、１０８、１１０の外輪郭は、実質的に内輪郭と平行に延び、これらのストリップは約１０ｍｍの厚さを持つ。
【００３１】
図１、図４で示される連結要素１０、８０では、フックストリップ１６の外輪郭には、さらに、首部ストリップ３２または８８へ移行する例えば８ｍｍの比較的に小さい半径を持つ円部分が接続する。頭部ストリップ３４または９０の上部分を限定する円部分は、さらに、例えば、１６ｍｍの比較的に大きい半径を有する。残りの円部分は緩やかな移行部を生じるように選択される。
【００３２】
連結要素１０、４０、６０、８０、１００は、図１乃至図５において、約１．５：１の尺度で示され、 連結要素１０、４０、６０、８０、１００の高さは約７５ｍｍである。爪ストリップ１２、６８、８２、１０２、１１２の内輪郭の最大広さは約２８ｍｍから３０ｍｍであり、開口は約１５ｍｍである。頭部ストリップ３４、９０の最大広さは主軸線３８の方向で約２４ｍｍである。
【００３３】
これらの尺度の相違は当然に可能である。例では、爪ストリップ１２、６８、８２、１０２、１１２の内輪郭の断面は延長できる。
【図面の簡単な説明】
【００３４】
【図１】図１は、Ｃ形状爪ストリップおよび接続ストリップを持つ、本発明による連結要素の第１実施例の端面における正面図を示す。
【図２】図２は、図１で示される連結要素の第１変形の端面における正面図を示し、Ｃ形状爪ストリップから突出する接続ストリップは角度を成して爪ストリップから突出する。
【図３】図３は、図１で示される連結要素の第２変形の端面における正面図を示し、Ｃ形状爪ストリップから突出する接続ストリップは湾曲される。
【図４】図４は、Ｃ形状爪ストリップおよび２つの突出接続ストリップを持つ、本発明による連結要素の第２実施例の端面における正面図を示す。
【図５】図５は、２つの相互に直角に延びるＣ形状爪ストリップと、それらの爪ストリップから突出する接続ストリップとを持つ、本発明による連結要素の第３実施例の端面における正面図を示す。
【符号の説明】
【００３５】
１０  連結要素
１２  爪ストリップ
１４  中間ストリップ
１６  フックストリップ
１８  フックストリップ
２０  開口
２２  内室
２４  対称軸線
２６  中間線
２８  中間線
Ｓ    交点
３０  接続ストリップ
３２  首部ストリップ
３４  頭部ストリップ
３６  縦軸線
３８  主軸線
４０  連結要素
４２  接続ストリップ
４４  縦軸線
４６  首部ストリップ
４８  縦軸線
５０  中間ストリップ
α    角度
６０  連結要素
６２  接続ストリップ
６４  中間ストリップ
６６  中間ストリップ
６８  爪ストリップ
７０  縦軸線
７２  首部ストリップ
７４  縦軸線
β    角度
８０  連結要素
８２  爪ストリップ
８４  第１接続ストリップ
８６  第２接続ストリップ
８８  首部ストリップ
９０  頭部ストリップ
９２  開口
１００  連結要素
１０２  第１爪ストリップ
１０４  接続ストリップ
１０６  中間ストリップ
１０８  フックストリップ
１１０  フックストリップ
１１２  第２爪ストリップ
１１４  対称軸線
１１６  対称軸線
【図１】
2005171756.tif 000003
【図２】
2005171756.tif 000004
【図３】
2005171756.tif 000005
【図４】
2005171756.tif 000006
【図５】
2005171756.tif 000007